(57)【特許請求の範囲】
【請求項１】
回転可能に軸支された回転体と、該回転体の回転動作により電気信号を出力する電気部品部材と、前記回転体の一方の面側に配設された軸受け部材と、該軸受け部材に回転可能に取付られた操作体と、該操作体と前記回転体との間に配設されたオルダム接ぎ手とを備え、前記操作体の回転軸線方向の線上の一方の面側に前記操作体を先頭に前記軸受け部材と前記オルダム接ぎ手と前記回転体とを配置し、前記回転体を挟んで対向する他方の面側にスイッチと該スイッチを操作する駆動部材とを配置し、前記回転体の回転軸線に対して前記操作体の回転軸線をずらして前記操作体を配設し、該操作体の回転動作により、前記オルダム接ぎ手を介して前記回転体を回転すると共に、前記操作体の回転軸線に対して直角方向に前記操作体を動作させることにより、前記操作体が取付られた前記軸受け部材と連動して前記駆動部材が前記操作体の操作方向へ移動し、前記駆動部材を介して前記スイッチを操作するようにしたことを特徴とするスイッチ付き回転操作型電気部品。
【請求項２】
前記駆動部材を回転可能に軸支し、前記操作体の回転軸線に対する直角方向の前記操作体の動作により、前記駆動部材が軸部を支点として回転するようにしたことを特徴とする請求項１記載のスイッチ付き回転操作型電気部品。
【請求項３】
前記軸受け部材と前記駆動部材は、２つの連結部で連結され、一方の連結部を支点として前記軸受け部材と前記駆動部材とが連動して回転することを特徴とする請求項１、又は２記載のスイッチ付き回転操作型電気部品。
【請求項４】
前記２つの連結部は、前記駆動部材の基部両端に設けられた腕部と軸部からなり、前記腕部が前記軸受け部材に係合し、前記操作体の回転軸線に対する直角方向の前記操作体の動作により、前記軸受け部材が前記軸部を支点として回転して、前記駆動部材を、前記軸部を支点として回転させるようにしたことを特徴とする請求項３記載のスイッチ付き回転操作型電気部品。
【請求項５】
取付部材を有し、前記駆動部材と前記スイッチとを前記取付部材に取り付けたことを特徴とする請求項１乃至４の何れかに記載のスイッチ付き回転操作型電気部品。
【発明の詳細な説明】
【０００１】
【発明の属する技術分野】
本発明はコンピュータ等に使用して好適な回転操作型電気部品、並びにこの回転操作型電気部品を用いた座標入力装置に関する。
【０００２】
【従来の技術】
従来の回転操作型電気部品、及びこの回転挿型電気部品を用いた座標入力装置について説明する。
従来の回転型電気部品は、図８〜図１１に示すように、回転軸Ｋを回転することにより回転型部品Ｒを操作し、また、回転軸Ｋを、軸方向に対して直角方向に移動されることによってプッシュスイッチＰを操作するものである。
そして、回転型部品Ｒは、一対の摺動接片５０ａ、５０ｂを備えた接点体５０を箱形ケース５１に固定し、この箱形ケース５１内には、前記摺動接片５０ａと摺接する接点板５２を固定した回転体５３と、カバー５４とを回転軸Ｋで回転可能に取り付けた構成となっている。
また、プッシュスイッチＰは、回転型部品Ｒの側面側に配設され、筺体５５内に接点部（図示せず）を設け、筺体５５に移動可能に取り付けられた操作ボタン５６を設けた構成となっている。
【０００３】
また、図１１に示すように、平板状の絶縁基板５８には、回転型部品Ｒをガイドするための凹部５８ａと、この凹部５８ａの両側に位置し、回転型部品Ｒの抜け止めのための一対のレール５８ｂと、前記凹部５８ａと間隔を置いた凹部５８ｃと、突部５８ｄとが設けられいる。
更に、絶縁基板５８には、固定接点５９が凹部５８ａ内で露出した状態で埋設されている。
そして、絶縁基板５８の凹部５８ａに、回転型部品Ｒのケース５１を載置し、且つ、レール５８ｂを、ケース５１の段部５１ａに当接させ、また、突部５８ｄに掛け止めしたねじりバネ６０で、ケース５１を弾圧して、回転型部品Ｒが絶縁基板５８に取り付けられている。
そして、回転型部品Ｒが取り付けられた際は、摺動接片５０ｂが、絶縁基板５８上の露出した接点５９ａに接触した状態となっている。
また、絶縁基板５８の凹部５８ｃには、プッシュスイッチＰの筺体５５がはめ込まれ、操作ボタン５６が回転型部品Ｒのケース５１の突起５１ｂに対向した状態で、プッシュスイッチＰが絶縁基板５８に取り付けられている。
【０００４】
次に、従来の回転操作型電気部品の動作を説明すると、先ず、回転軸Ｋを回転すると、この回転に伴って、回転体５３が回転軸Ｋの回転軸線Ｇを中心にして回転する。
すると、回転体５３に取り付けられた接点板５２も回転して、摺動接片５０ａに接離して接点の切り換えが行われ、この接点の切り換えが摺動接片５０ｂと接点５９ａを介して固定接点５９に導出される。
次に、回転軸Ｋを、回転軸Ｋの回転軸線Ｇに対して直角方向、即ち、矢印Ｙ方向に押圧すると、回転軸Ｋは、回転型部品Ｒを伴って、ねじりバネ６０に抗して矢印Ｙ方向に移動する。
この時、摺動接片５０ｂは、固定接点５９の接点５９ａ上に摺動して、回転型部品Ｒの電気的接続を維持した状態で、ケース５１の突起５１ｂがプッシュスイッチＰの操作ボタン５６を押圧する。
【０００５】
すると、プッシュスイッチＰの接点の切り換えが行われ、しかる後、回転軸Ｋの押圧を解除すると、ねじりバネ６０によって、回転型部品Ｒは回転軸Ｋを伴って押圧前の状態に移動する。
この時、摺動接片５０ｂは接点５９ａ上を摺動して、回転型部品Ｒの電気的接続を維持すると共に、操作ボタン５６は押圧前の状態に戻り、プッシュスイッチＰの接点の切り換えが行われる。
このようにして、回転軸Ｋを回転することにより回転型部品Ｒを操作し、また、回転軸Ｋを、回転軸線Ｇに対して直角方向に移動させることによりプッシュスイッチＰを操作するものである。
【０００６】
このような回転操作型電気部品を、例えばコンピュータに使用されるマウス等の座標入力装置に適用する場合は、図１２に示すように、座標入力装置のケース６１内に、回転操作型電気部品を収納して取付、また、回転操作型電気部品の回転軸Ｋには、操作ツマミ６２が取り付けられ、この操作ツマミ６２を、ケース６１の開口部６１ａから外方に突出させ、この操作ツマミ６２を操作するようになっている。
そして、このような座標入力装置の操作は、例えば、ここでは図示しない部材によってディスプレイーにメニューが表出される。
次に、操作ツマミ６２を押し、プッシュスイッチＰを操作させて所望のメニューを決定し、しかる後、操作ツマミ６２を回転して、回転型部品Ｒを操作してメニュー中の項目等を表出するものである。
【０００７】
【発明が解決しようとする課題】
従来の回転操作型電気部品は、回転型部品Ｒの操作を回転軸Ｋで行うものであるため、その回転軸Ｋの位置は常に一個所となり、操作位置の融通性がなく、セットに対する自由度が無いという問題がある。
また、回転軸Ｋを回転軸線Ｇに対して直角方向に移動させた時、回転型部品Ｒが移動するため、大型になるという問題がある。
また、プッシュスイッチＰが、回転型部品Ｒの側面側に配設されているため、大型になる。
また、回転型部品Ｒの移動時、回転型部品Ｒの電気的接続の維持のため、摺動接片５０ｂを固定接点５９に摺接させる構成を必要とし、このため、長寿命化を図ることが難しく、且つ、その構成が面倒で、コスト高に成るという問題がある。  また、従来の座標入力装置にあっては、図１２から分かるように、操作ツマミ６２の半径は、回転軸Ｋの回転軸線Ｇから回転型部品Ｒの外側までの長さＬ３と、操作ツマミ６２を外方に突出させるための長さＬ４とを必要とし、装置、及び操作ツマミ６２が大型になるばかりか、回転操作型電気部品の配置に自由度が無いという問題がある。
【０００８】
【課題を解決するための手段】
上記課題を解決するための第１の解決手段として、回転可能に軸支された回転体と、該回転体の回転動作により電気信号を出力する電気部品部材と、前記回転体の一方の面側に配設された軸受け部材と、該軸受け部材に回転可能に取付られた操作体と、該操作体と前記回転体との間に配設されたオルダム接ぎ手とを備え、前記操作体の回転軸線方向の線上の一方の面側に前記操作体を先頭に前記軸受け部材と前記オルダム接ぎ手と前記回転体とを配置し、前記回転体を挟んで対向する他方の面側にスイッチと該スイッチを操作する駆動部材とを配置し、前記回転体の回転軸線に対して前記操作体の回転軸線をずらして前記操作体を配設し、該操作体の回転動作により、前記オルダム接ぎ手を介して前記回転体を回転すると共に、前記操作体の回転軸線に対して直角方向に前記操作体を動作させることにより、前記操作体が取付られた前記軸受け部材と連動して前記駆動部材が前記操作体の操作方向へ移動し、前記駆動部材を介して前記スイッチを操作するようにしたスイッチ付き回転操作型電気部品の構成とした。
【０００９】
また、第２の解決手段として、前記駆動部材を回転可能に軸支し、前記操作体の回転軸線に対する直角方向の前記操作体の動作により、前記駆動部材が軸部を支点として回転するようにしたスイッチ付き回転操作型電気部品の構成とした。
また、第３の解決手段として、前記軸受け部材と前記駆動部材は、２つの連結部で連結され、一方の連結部を支点として前記軸受け部材と前記駆動部材とが連動して回転するスイッチ付き回転操作型電気部品の構成とした。
また、第４の解決手段として、前記２つの連結部は、前記駆動部材の基部両端に設けられた腕部と軸部からなり、前記腕部が前記軸受け部材に係合し、前記操作体の回転軸線に対する直角方向の前記操作体の動作により、前記軸受け部材が前記軸部を支点として回転して、前記駆動部材を、前記軸部を支点として回転させるようにしたスイッチ付き回転操作型電気部品の構成とした。
また、第５の解決手段として、取付部材を有し、前記駆動部材と前記スイッチとを前記取付部材に取り付けたスイッチ付き回転操作型電気部品の構成とした。
【００１１】
【発明の実施の形態】
次に、本発明の回転操作型電気部品、並びにこの回転が操作型電気部品を用いた座標入力装置を図１〜図７に基づいて説明すると、図１は本発明の回転操作型電気部品の正面図、図２は本発明の回転操作型電気部品の裏面図、図３は本発明の回転操作型電気部品の要部断面図、図４は本発明の回転操作型電気部品に係り、スイッチを取り除いた分解斜視図、図５と図６は本発明の回転操作型電気部品の動作を説明するための説明図、図７は本発明の座標入力装置の説明図である。
【００１２】
次に、本発明の回転操作型電気部品を図１〜図６に基づいて説明すると、回転型の電気部品部材Ｒは、合成樹脂の成形品から成る筺体１に埋設された固定の接触片２と、合成樹脂の成形品から成る回転可能な回転体３に埋設され、前記接触片２に摺接する導電パターン４とから成る。
また、略矩形状を成す前記筺体１は、孔１ａを有する前面壁１ｂと、後部が開口した空洞部１ｃを設けた円筒の側壁１ｄと、前面壁１ａの隅部に設けられた突部１ｅとを備え、前記接触片２は、空洞部１ｃ内に位置した状態と成っている。
また、円形状の前記回転体３は、導電パターン４を設けた凹部３ａと、前面に設けられた円環部３ｂと、円環部３ｂの中心を横切り、前方に突出した凸部３ｃと、後部に設けられた軸部３ｄとを備え、この回転体３は、筺体１の空洞部１ｃ内に回転可能に収納されて、円環部３ｂを筺体１の孔１ａに嵌合されている。
【００１３】
また、金属板から成る取付部材５は、平面状の基部５ａと、基部５ａの中央部に設けられ、後方に突出した筒状部５ｂと、基部５ａの対向する側端から前方に直角に折り曲げて形成された一対の取付腕部５ｃと、この取付腕部５ｃの端部から前方に突出して設けられた複数の突片５ｄと、前記取付腕部５ｃの一方に設けられ、孔５ｅを有する側方に延びた支持片５ｆと、基部５ａの下端から後方に直角に折り曲げて形成された取付部５ｇとを備えている。
このような取付部材５は、回転体３を収納した筺体１の裏面を、基部５ａで覆うように筺体１に重ね合わせ、一対の取付腕部５ｃ間に筺体１を位置させる。
この時、回転体３の軸部３ｄは筒状部５ｂに嵌合した状態となる。
そして、取付部材５の突片５ｄを、筺体１の前面壁１ｂ側にカシメにより折り曲げて、取付部材５に筺体１と回転体３とを取り付ける。
その際、一つの突片５ｄは半カシメにしてあり、その先端が前面壁１ｂから浮いた状態と成っている。
【００１４】
このように、筺体１と回転体３とが取付部材５に取り付けられると、接触片２と導電パターン４とが接離可能な状態となり、回転体３が回転体３の回転軸線Ｇ１を中心として回転すると、導電パターン４が接触片２に接離して、接点の切り換えが行われて、電気信号を出力するものである。
また、プッシュ型のスイッチＰは、接点部（図示せず）を設けた合成樹脂から成る筺体６と、接点部を操作するように筺体６に取り付けられ、常時バネ（図示せず）で押圧された操作ボタン７とを備え、このスイッチＰは、取付部材５の取付部５ｇに、強嵌入、或いはその他適宜手段により取り付けられている。
また、スイッチＰは上記構成以外のものも適用できること勿論である。
【００１５】
また、金属板等から成る軸受け部材８は、中央部に設けられた筒状部８ａと、両端近く設けられた孔８ｂ，８ｃと、一端近くで後方に折り曲げられた折り曲げ片８ｄと、他端近くで後方に折り曲げられたストッパー片８ｅとを備えている。また、合成樹脂の成型品等から成る操作体９は、操作部９ａと、操作部９ａの一端に設けられた鍔部９ｂと、鍔部９ｂの中心を横切り、後方に突出した凸部９ｃとを備えている。
そして、この操作体９は、操作部９ａが軸受け部材８の筒状部８ａに挿通されて、軸受け部材８に回転可能に取り付けられている。
また、この軸受け部材８と操作体９は、筺体１と回転体３の一方の面側である前面側に配設された状態となっている。
【００１６】
また、前記操作体９と前記回転体３との間には、操作体９が回転と、軸方向に対して直角方向の移動とを可能にするためのオルダム接ぎ手Ｔが設けられている。そして、このオルダム接ぎ手Ｔは、回転体３に設けられた凸部３ｃと、操作体９に設けられた凸部９ｃと、凸部３ｃと９ｃとの間に設けられた伝達部１０とで構成されている。
また、伝達部１０は、その一方の面には凹条部１０ａが設けられ、また、他方の面には、前記凹条部１０ａに対して直交した状態で凹条部１０ｂが設けられ、凹条部１０ａには回転体３の凸部３ｃが、また、凹条部１０ｂには操作体９の凸部９ｃがそれぞれ嵌合して組み合わされている。
そして、このようなオルダム接ぎ手Ｔは、操作部９を、操作体９の回転軸線Ｇ２を中心として回転すると、凸部９ｃが回転し、これによって、凸部９ｃが嵌合した凹条部１０ｂによって伝達部１０が回転し、更に、伝達部１０の回転が、凹条部１０ａに嵌合した凸部３ｃに伝えられて回転体３が回転して、電気部品部材Ｒの接点の切り換えが行われる。
また、操作体９を、操作体９の回転軸線Ｇ２に対して直角方向に移動すると、凸部３ｃと凹条部１０ａ、また、凸部９ｃと凹条部１０ｂとの間で摺動動作を行い、回転体３を回転することなく、操作体９を直角方向に移動することが出来る。
【００１７】
また、合成樹脂の成型品から成る駆動部材１１は、山形の基部１１ａと、基部１１ａの一端に設けられ、先端に突起１１ｂを有して前方に延びた軸部１１ｃと、基部１１ａの他端に設けられ、先端に突起１１ｄを有して前方に延びた腕部１１ｅと、基部１１ａの裏面に設けられ、後方に延びた半円筒状の作動部１１ｆとを備えている。
そして、この駆動部材１１は、取付部材５の裏面側に配置し、軸部１１ｃを取付部材５の支持片５ｆの孔５ｅに挿通して、軸部１１ｃと腕部１１ｅとの間に筺体１を位置させ、突起１１ｂを軸受け部材８の孔８ｂに、また、突起１１ｄを孔８ｃにそれぞれ挿通し、突起１１ｂ，１１ｃの先端をカシメることにより、駆動部材１１と軸受け部材８が一体化されている。
このように一体化されると、軸受け部材８と駆動部材１１は、駆動部材１１の軸部１１ｃを支点として、他端側である腕部１１ｅ側、及び軸受け部材８の孔８ｃ側が回転可能となり、これに伴い、操作体９も軸部１１ｃを支点として回転可能に成ると共に、回転軸線Ｇ２に対して直角方向の移動が可能となる。
【００１８】
また、一体化された時、駆動部材１１の基部１１ａは取付部材５の基部５ａと当接し、操作体９の鍔部９ｂと伝達部１０は、軸受け部材８と回転体３との間で挟持された状態になると共に、軸受け部材８のストッパー片８ｅは、筺体１の突部１ｅと対向した状態と成っている。
また、Ｕ字状のバネ１２は、そのリング状部１２ａに軸部１１ｃを挿通し、一端１２ｂを軸受け部材８の折り曲げ片８ｄに掛け止めし、他端１２ｃを取付部材５の半カシメの突片５ｄに掛け止めして取り付けられている。
そして、バネ１２が取り付けられた際は、バネ１２によって軸受け部材８が矢印Ｘ１方向（時計方向）に押圧され、軸受け部材８のストッパー片８ｅが筺体１の突部１ｅにぶつかり、軸受け部材８は矢印Ｘ１方向への移動がストップすると共に、駆動部材１１の作動部１１ｆの丸み部が、スイッチＰの操作ボタン７に当接するか、近接した状態となっている。
【００１９】
更に、取りけられた際は、図３、図７に示すように、操作体９は、その操作体９の回転軸線Ｇ２が、回転体３の回転軸線Ｇ１からずれた位置に配設され状態となっている。
また、このように構成された回転操作型電気部品は、図３に示すように、筺体１と回転体３の他面側である裏面側には、取付部材５、駆動部材１１、及びスイッチＰが配設されると共に、作動部１１ｆと操作ボタン７とは回転体３の回転軸線Ｇ１の高さで当接した状態となっている。
なお、この当接の位置の高さは、スイッチＰの取付位置と、作動部１１ｆの形成位置を変えることにより、融通性を持たせることが出来、スイッチＰの配置に自由度を持たせることが出来るものである。
【００２０】
次に、上記のような構成を有する回転操作型電気部品の動作を説明すると、図３において、先ず、操作体９を回転すると、操作体９は回転軸線Ｇ２を中心として回転する。
すると、オルダム接ぎ手Ｔである凸部９ｃ、凹条部１０ｂ、１０ａ、及び凸部３ｃを介して回転体３が回転軸線Ｇ１を中心として回転すると共に、導電パターン４も回転して接触片２と接離し、接点の切り換えが行われて電気信号を出力する。
次に、図５の状態において、操作体９を、回転軸線Ｇ２に対して直角方向に押圧、移動すると、図６に示すように、取付部材５を弾圧しているバネ１２のバネ性に抗して、取付部材５を伴って軸部１１ｃを支点として矢印Ｘ２方向に回転運動する。
すると、取付部材５は、ストッパー片８ｅが突部１ｅから離れると共に、駆動部材１１を伴って、駆動部材１１が軸部１１ｃを支点として矢印Ｘ２方向に回転する。
【００２１】
この時、駆動部材１１の作動部１１ｆは、スイッチＰの操作ボタン７を押し、接点の切り換えが行われて電気信号を出力する。
また、図５から図６の間の操作体９の直角方向の移動時、オルダム接ぎ手Ｔにあっては、凸部９ｃと凹条部１０ｂとの間、及び凹条部１０ａと凸部３ｃとの間で摺動動作を行って、回転体３を回転するとなく操作体９を直角方向に移動させることが出来る。
次に、図６の状態において、操作体９の押圧を解除すると、図５に示すように、取付部材５はバネ１２によって、軸部１１ｃを支点として矢印Ｘ１方向に戻され、ストッパー片８ｅが突部１ｅにぶつかって、取付部材５の移動がストップする。  そして、この取付部材５の移動に伴い、操作体９、及び駆動部材１１も元の状態に戻ると共に、操作ボタン７への作動部１１ｆの押圧が解除されるため、操作ボタン７も、内蔵された復帰バネにより元の状態に戻り、接点の切り換えが行われるようになる。
また、その間において、オルダム接ぎ手Ｔは、上述した動作と同様の原理により、回転体３を回転することなく操作体９を移動できる。
このようにして、回転操作型電気部品の操作を行うものである。
【００２２】
また、上記の実施形態においては、取付部材５、操作体９、及び駆動部材１１を別部品のバネ１２で戻すようにしたが、スイッチＰの復帰バネで戻すようにしても良く、また、作動部１１ｆは、半円筒状のもので説明したが、円筒状、円柱状等で形成し、操作ボタン７との当接面に丸みを持たせた方が当接面が滑りやすくなるので良い。
【００２３】
このような回転操作型電気部品を、例えばコンピュータに使用されるマウス等の座標入力装置に適用する場合は、図７に示すように、座標入力装置のケース１３内に、回転操作型電気部品を収納して取付、また、回転操作型電気部品の操作体９には、操作ツマミ１４が取り付けられ、この操作ツマミ１４を、ケース１３の開口部１３ａから外方に突出させ、この操作ツマミ１４を操作するようになっている。
そして、このような座標入力装置の操作は、例えば、ここでは図示しない部材によってディスプレイーにメニューが表出される。
次に、操作ツマミ１４を押し、スイッチＰを操作させて所望のメニューを決定し、しかる後、操作ツマミ１４を回転して、電気部品部材Ｒを操作してメニュー中の項目等を表出するものである。
【００２４】
また、このような座標入力装置は図７から分かるように、操作体９は、操作体９の回転軸線Ｇ２が回転体３の回転軸線Ｇ１からずれた位置に設けられているため、操作ツマミ１４を取り付ける操作体９を、ケース１３に近づけることが出来、このため、操作ツマミ１４の半径は、操作体９の回転軸線Ｇ２と筺体１の外側までの長さＬ１と、操作ツマミ１４を外方に突出させるための長さＬ２との和となり、従来に比して、操作ツマミ１４、及び、座標入力装置を小型化出来るものである。
【００２５】
【発明の効果】
本発明の回転操作型電気部品は、電気部品部材Ｒを操作する回転体３と操作体９との間にオルダム接ぎ手Ｔを設け、回転体３の回転軸線Ｇ１に対して操作体９の回転軸線Ｇ２をずらして操作体９を配設したため、操作部材である操作体９の位置を自由に変更でき、操作位置に融通性を持たせるこことが出来、セットの対して自由度の良好なものを提供できる。
また、操作体９を回転軸線Ｇ２に対して直角方向に動作させて、スイッチＰを操作するようにしたため、回転型の電気部品部材Ｒは移動することがなく、小型となり、且つ、従来のような摺動接片構成は不要となり、長寿命の安価な回転操作型電気部品を提供できる。
【００２６】
また、操作体９の操作で、駆動部材１１を介してスイッチＰを動作させるようにしたため、スイッチＰの配置を自由に変更でき、融通性のあるものを提供できる。
また、回転体３の一方の面側には操作体９を、また、他方の面側には駆動部材１１を配設することにより、高さ方向に小型となり、コンパクトなものを提供できる。
また、駆動部材１１を軸部１１ｃを支点として回転させて、スイッチＰを操作するようにしたため、駆動部材１１の取付が簡単で、組立性の良好な、安価なものを提供できる。
また、回転体３の一方の面側には操作体９と軸受け部材８を、また、他方の面側には駆動部材１１とスイッチＰとを配設したため、高さ方向に小型となり、コンパクトなものを提供できる。
また、取付部材５で、駆動部材１１とスイッチＰとを取り付けるため、部品点数か少なく、組立性が良く、安価なものを提供できる。
【図面の簡単な説明】
【図１】本発明の回転操作型電気部品の正面図。
【図２】本発明の回転操作型電気部品の裏面図。
【図３】本発明の回転操作型電気部品の要部断面面図。
【図４】本発明の回転操作型電気部品に係り、スイッチを取り除いた分解斜視図。
【図５】本発明の回転操作型電気部品の動作を説明するための説明図。
【図６】本発明の回転操作型電気部品の動作を説明するための説明図。
【図７】本発明の座標入力装置の説明図。
【図８】従来の回転操作型電気部品の斜視図。
【図９】従来の回転操作型電気部品の要部の断面図。
【図１０】従来の回転操作型電気部品の要部の断面図。
【図１１】従来の回転操作型電気部品に係る絶縁基板の斜視図。
【図１２】従来の座標入力装置の説明図。
【符号の説明】
Ｒ  電気部品部材
１  筺体
１ａ  孔
１ｂ  前面壁
１ｃ  空洞部
１ｄ  側壁
１ｅ  突部
２  接触片
３  回転体
３ａ  凹部
３ｂ  円環部
３ｃ  凸部
３ｄ  軸部
４  導電パターン
５  取付部材
５ａ  基部
５ｂ  筒状部
５ｃ  取付腕部
５ｄ  突片
５ｅ  孔
５ｆ  支持片
５ｇ  取付部
Ｐ  スイッチ
６  筺体
７  操作ボタン
８  軸受け部材
８ａ  筒状部
８ｂ、８ｃ  孔
８ｄ  折り曲げ片
８ｅ  ストッパー片
９  操作体
９ａ  操作部
９ｂ  鍔部
９ｃ  突部
Ｔ  オルダム接ぎ手
１０  伝達部
１０ａ、１０ｂ  凹条部
１１  駆動部材
１１ａ  基部
１１ｂ  突起
１１ｃ  軸部
１１ｄ  突起
１１ｅ  腕部
１１ｆ  作動部
１２  バネ
１２ａ  リング状部
１２ｂ  一端
１２ｃ  他端
Ｇ１，Ｇ２  回転軸線
１３  ケース
１３ａ  開口部
１４  操作ツマミ
【図１】
0003720952.tif 000002
【図２】
0003720952.tif 000003
【図３】
0003720952.tif 000004
【図４】
0003720952.tif 000005
【図５】
0003720952.tif 000006
【図６】
0003720952.tif 000007
【図７】
0003720952.tif 000008
【図８】
0003720952.tif 000009
【図９】
0003720952.tif 000010
【図１０】
0003720952.tif 000011
【図１１】
0003720952.tif 000012
【図１２】
0003720952.tif 000013